(57)【特許請求の範囲】
【請求項１】
情報取得方法であって、
ユーザ装置がセル間に切り替えられる時に、ターゲット基地局が、ソース基地局により報告された前記ユーザ装置のマルチメディアブロードキャスト及びマルチキャストサービスの受信状態情報を受信することを含み、
前記受信状態情報は、前記ユーザ装置から前記ソース基地局に前もって報告され、前記ユーザ装置がマルチメディアブロードキャスト及びマルチキャストサービスを受信していることを示す情報および前記ユーザ装置が受信しているマルチメディアブロードキャスト及びマルチキャストサービスを運ぶキャリアの周波数を示す情報を含む、方法。
【請求項２】
請求項１に記載の方法であって、
前記受信状態情報は、さらに、マルチメディアブロードキャスト及びマルチキャストサービスのサービス情報を含み、
前記サービス情報は、マルチキャストブロードキャストシングル周波数ネットワークの領域ID、マルチメディアブロードキャスト及びマルチキャストサービスID、マルチメディアブロードキャスト及びマルチキャストサービスのセッションID、及び一時移動グループIDのうちの一つ又は複数を含む、方法。
【請求項３】
請求項１に記載の方法であって、
前記ターゲット基地局が前記ソース基地局に受信確認メッセージを返すことをさらに含む、方法。
【請求項４】
請求項１に記載の方法であって、
前記ターゲット基地局が、前記ユーザ装置に前記マルチメディアブロードキャスト及びマルチキャストサービスを提供することができる時に、前記方法は、前記ターゲット基地局により、前記ユーザ装置が受信するマルチメディアブロードキャスト及びマルチキャストサービスのサービス情報を更新することをさらに含む、方法。
【請求項５】
請求項１に記載の方法であって、
前記ターゲット基地局により、前記ユーザ装置に前記マルチメディアブロードキャスト及びマルチキャストサービスを提供することができない時に、前記方法は、
ターゲットセルが、マルチキャストブロードキャストシングル周波数ネットワークの領域に属する予備セルである時に、前記ターゲット基地局が、ブロードキャスト又はユニキャストの方式で、前記マルチメディアブロードキャスト及びマルチキャストサービスを提供し、
ターゲットセルが、前記マルチメディアブロードキャスト及びマルチキャストサービスを提供するマルチキャストブロードキャストシングル周波数ネットワークの領域に属しない時に、前記ターゲットセルが、前記マルチメディアブロードキャスト及びマルチキャストサービスを提供するマルチキャストブロードキャストシングル周波数ネットワークの領域に加入し、且つ、前記ターゲット基地局が、ブロードキャストの方式で、前記マルチメディアブロードキャスト及びマルチキャストサービスを提供し、
ターゲットセルが、前記マルチメディアブロードキャスト及びマルチキャストサービスを提供するマルチキャストブロードキャストシングル周波数ネットワークの領域に属しない時に、前記ターゲット基地局が、ユニキャストの方式で、前記マルチメディアブロードキャスト及びマルチキャストサービスを提供し、
ターゲットセルが、前記マルチメディアブロードキャスト及びマルチキャストサービスを提供するための十分なリソースを有しない時に、前記ターゲット基地局が、ユニキャストの方式で、前記マルチメディアブロードキャスト及びマルチキャストサービスを提供する、方法。
【請求項６】
情報取得方法であって、
ユーザ装置がセル間に切り替えられる時に、前記ユーザ装置のソース基地局が、ターゲット基地局に、前記ユーザ装置のマルチメディアブロードキャスト及びマルチキャストサービスの受信状態情報を報告することを含み、
前記受信状態情報は、前記ユーザ装置から前記ソース基地局に前もって報告され、前記ユーザ装置がマルチメディアブロードキャスト及びマルチキャストサービスを受信していることを示す情報および前記ユーザ装置が受信しているマルチメディアブロードキャスト及びマルチキャストサービスを運ぶキャリアの周波数を示す情報を含む、方法。
【請求項７】
請求項６に記載の方法であって、
前記受信状態情報は、さらに、マルチメディアブロードキャスト及びマルチキャストサービスのサービス情報を含み、
前記サービス情報は、マルチキャストブロードキャストシングル周波数ネットワークの領域ID、マルチメディアブロードキャスト及びマルチキャストサービスID、マルチメディアブロードキャスト及びマルチキャストサービスのセッションID、及び一時移動グループIDのうちの一つ又は複数を含む、方法。
【請求項８】
請求項６に記載の方法であって、
前記ソース基地局が前記受信状態情報を取得することをさらに含む、方法。
【請求項９】
請求項８に記載の方法であって、
前記ソース基地局が前記受信状態情報を取得することは、
前記ソース基地局が、前記ユーザ装置により報告された前記受信状態情報を受信し、前記受信状態情報を取得することを含む、方法。
【請求項１０】
請求項８に記載の方法であって、
前記ソース基地局が前記受信状態情報を取得することは、
前記ソース基地局が、前記ユーザ装置に、前記ユーザ装置が前記受信状態情報を報告することを指示するためのリクエストメッセージを送信し、
前記ソース基地局が、前記ユーザ装置により前記リクエストメッセージに基づいて報告された前記受信状態情報を受信し、前記受信状態情報を取得することを含む、方法。
【請求項１１】
ターゲット基地局であって、
ユーザ装置がセル間に切り替えられる時に、ソース基地局により報告された前記ユーザ装置のマルチメディアブロードキャスト及びマルチキャストサービスの受信状態情報を受信するために用いられる第一情報取得ユニットを含み、
前記受信状態情報は、前記ユーザ装置から前記ソース基地局に前もって報告され、前記ユーザ装置がマルチメディアブロードキャスト及びマルチキャストサービスを受信していることを示す情報および前記ユーザ装置が受信しているマルチメディアブロードキャスト及びマルチキャストサービスを運ぶキャリアの周波数を示す情報を含む、ターゲット基地局。
【請求項１２】
請求項１１に記載のターゲット基地局であって、
前記受信状態情報を受信した後に、前記ソース基地局に受信確認メッセージを返すために用いられる第一送信ユニットをさらに含む、ターゲット基地局。
【請求項１３】
請求項１１に記載のターゲット基地局であって、
前記ターゲット基地局が、前記ユーザ装置に、前記マルチメディアブロードキャスト及びマルチキャストサービスを提供することができる時に、前記ユーザ装置が受信するマルチメディアブロードキャスト及びマルチキャストサービスのサービス情報を更新するために用いられる情報更新ユニットをさらに含む、ターゲット基地局。
【請求項１４】
請求項１３に記載のターゲット基地局であって、
サービス提供ユニットを更に含み、
前記ターゲット基地局により、前記ユーザ装置に、前記マルチメディアブロードキャスト及びマルチキャストサービスを提供することができない時に、
ターゲットセルが、マルチキャストブロードキャストシングル周波数ネットワークの領域に属する予備セルである時に、前記サービス提供ユニットが、ブロードキャスト又はユニキャストの方式で、前記マルチメディアブロードキャスト及びマルチキャストサービスを提供し、
ターゲットセルが、前記マルチメディアブロードキャスト及びマルチキャストサービスを提供するマルチキャストブロードキャストシングル周波数ネットワークの領域に属しない時に、前記ターゲットセルが、前記マルチメディアブロードキャスト及びマルチキャストサービスを提供するマルチキャストブロードキャストシングル周波数ネットワークの領域に加入し、且つ、前記サービス提供ユニットが、ブロードキャストの方式で、前記マルチメディアブロードキャスト及びマルチキャストサービスを提供し、
ターゲットセルが、前記マルチメディアブロードキャスト及びマルチキャストサービスを提供するマルチキャストブロードキャストシングル周波数ネットワークの領域に属しない時に、前記サービス提供ユニットが、ユニキャストの方式で、前記マルチメディアブロードキャスト及びマルチキャストサービスを提供し、
ターゲットセルが、前記マルチメディアブロードキャスト及びマルチキャストサービスを提供するための十分なリソースを有しない時に、前記サービス提供ユニットが、ユニキャストの方式で、前記マルチメディアブロードキャスト及びマルチキャストサービスを提供する、ターゲット基地局。
【請求項１５】
ソース基地局であって、
ユーザ装置がセル間に切り替えられる時に、ターゲット基地局に、前記ユーザ装置のマルチメディアブロードキャスト及びマルチキャストサービスの受信状態情報を報告するために用いられる情報送信ユニットを含み、
前記受信状態情報は、前記ユーザ装置から前記ソース基地局に前もって報告され、前記ユーザ装置がマルチメディアブロードキャスト及びマルチキャストサービスを受信していることを示す情報および前記ユーザ装置が受信しているマルチメディアブロードキャスト及びマルチキャストサービスを運ぶキャリアの周波数を示す情報を含む、ソース基地局。
【請求項１６】
請求項１５に記載のソース基地局であって、
前記受信状態情報を受信するために用いられる第二情報取得ユニットをさらに含む、ソース基地局。
【請求項１７】
請求項１６に記載のソース基地局であって、
前記第二情報取得ユニットは、前記ユーザ装置により報告された前記受信状態情報を受信し、前記受信状態情報を取得するために用いられる、ソース基地局。
【請求項１８】
請求項１６に記載のソース基地局であって、
前記第二情報取得ユニットは、
前記ユーザ装置に、前記ユーザ装置が前記受信状態情報を報告することを指示するためのリクエストメッセージを送信するために用いられるリクエストメッセージ送信ユニットと、
前記ユーザ装置が前記リクエストメッセージ送信ユニットの送信したリクエストメッセージに基づいて報告した前記受信状態情報を受信し、前記受信状態情報を取得するために用いられる情報受信ユニットと、を含む、ソース基地局。
【請求項１９】
コンピュータ可読プログラムであって、
ターゲット基地局において前記プログラムを実行する時に、前記プログラムは、コンピュータに、前記ターゲット基地局において請求項１乃至５の何れか１項に記載の情報取得方法を実行させる、プログラム。
【請求項２０】
コンピュータ可読プログラムを記憶している記憶媒体であって、
前記コンピュータ可読プログラムは、コンピュータに、ターゲット基地局において請求項１乃至５の何れか１項に記載の情報取得方法を実行させる、記憶媒体。
【請求項２１】
コンピュータ可読プログラムであって、
ソース基地局において前記プログラムを実行する時に、前記プログラムは、コンピュータに、前記ソース基地局において請求項６乃至１０の何れか１項に記載の情報取得方法を実行させる、プログラム。
【請求項２２】
コンピュータ可読プログラムを記憶している記憶媒体であって、
前記コンピュータ可読プログラムは、コンピュータに、ソース基地局において請求項６乃至１０の何れか１項に記載の情報取得方法を実行させる、記憶媒体。
【請求項２３】
通信システムであって、
前記通信システムは、ユーザ装置を含み、
前記通信システムは、更に、前記ユーザ装置のソース基地局及びターゲット基地局を含み、
前記ソース基地局は、前記ユーザ装置がセル間に切り替える時に、前記ターゲット基地局に、前記ユーザ装置のマルチメディアブロードキャスト及びマルチキャストサービスの受信状態情報を報告するために用いられ、
前記ターゲット基地局は、前記ソース基地局が報告している前記ユーザ装置のマルチメディアブロードキャスト及びマルチキャストサービスの受信状態情報を受信するために用いられ、
前記受信状態情報は、前記ユーザ装置から前記ソース基地局に前もって報告され、前記ユーザ装置がマルチメディアブロードキャスト及びマルチキャストサービスを受信していることを示す情報および前記ユーザ装置が受信しているマルチメディアブロードキャスト及びマルチキャストサービスを運ぶキャリアの周波数を示す情報を含む、通信システム。
【請求項２４】
請求項２３に記載の通信システムであって、
前記受信状態情報は、さらに、マルチメディアブロードキャスト及びマルチキャストサービスのサービス情報を含み、
前記サービス情報は、マルチキャストブロードキャストシングル周波数ネットワークの領域ID、マルチメディアブロードキャスト及びマルチキャストサービスID、マルチメディアブロードキャスト及びマルチキャストサービスのセッションID、及び一時移動グループIDのうちの一つ又は複数を含む、通信システム。
【請求項２５】
請求項２３に記載の通信システムであって、
前記ソース基地局は、前記受信状態情報を取得する、通信システム。
【請求項２６】
請求項２５に記載の通信システムであって、
前記ソース基地局は、前記ユーザ装置が報告している前記受信状態情報を受信し、前記受信状態情報を取得する、通信システム。
【発明の詳細な説明】
【技術分野】
【０００１】
本発明は、無線通信分野に関し、特に、ユーザ装置のマルチメディアブロードキャスト及びマルチキャストサービスの受信状態情報を取得する情報取得方法及び基地局に関する。
【背景技術】
【０００２】
今のところ、モバイルユーザがマルチメディアブロードキャスト及びマルチキャストサービス(MBMS：Multimedia  Broadcast  Multicast  Service)を体験するニーズをより良く満足するために、また、有限のスペクトラムリソースをより有効に利用するために、第3世代パートナーシッププロジェクト(3GPP：3rd  Generation  Partnership  Project)におけるロングタームエボリューション(LTE、Long  Term  Evolution)R9は、マルチキャストブロードキャストシングル周波数ネットワーク（MBSFN：Multicast  Broadcast  Single  Frequency  Network）を採用してMBMSを伝送することをサポートする。マルチキャストブロードキャストシングル周波数ネットワーク（MBSFN）を採用してMBMSを伝送する時に伝送に参与する必要がある複数の基地局は、完全に同じ時間周波数リソースを採用して同じデータを同時に伝送する。シングルセルのMBMSの伝送方式に比べ、MBSFNの伝送方式は、セル間の干渉をより有効に避け、特別なダイバーシティ利得をもたらすことができるので、受信ユーザのサービス受信能力を極大に改善することができる。
【０００３】
しかし、本発明の実現過程において、本発明の発明者は、従来技術に次のような問題が存在することを発見した。即ち、実現しやすい及び配置しやすいために、今のところのLTE  MBMS標準では、MBMSを受信するユーザ装置が、その所属する基地局にそのMBMSの受信状況を報告しない。MBMSを受信するユーザ装置が、対応するMBSFNの領域から離れた時に、ターゲット基地局は、該ユーザ装置のMBMSの受信状態情報を取得することができない。そのため、ターゲット基地局により、該ユーザ装置に、対応するMBMSを提供することができず、これにより、該ユーザ装置のMBMSが中断する可能性があり、該ユーザ装置のMBMSの連続性を保証することができない。
【０００４】
なお、上述の背景技術に対する紹介は、本発明の技術案を明確かつ完全に説明するため、また、当業者が本発明を理解しやすいためのものだけである。これらの案が本発明の背景技術の部分に述べられているから、上述の技術案が当業者にとって公知のものであると思われてはいけない。
【発明の概要】
【発明が解決しようとする課題】
【０００５】
本発明の実施例の目的は、ユーザ装置がセル間に切り替えられる時に、該ユーザ装置のソース基地局がターゲット基地局に、該ユーザ装置のMBMSの受信状態情報を通知し、これにより、該ユーザ装置のMBMSの連続性を保証することができる情報取得方法及び基地局を提供することにある。
【課題を解決するための手段】
【０００６】
本発明の実施例の一側面によれば、情報取得方法が提供され、前記方法は、
ユーザ装置がセル間に切り替えられる時に、ターゲット基地局が、ソース基地局により報告された前記ユーザ装置のマルチメディアブロードキャスト及びマルチキャストサービスサービスの受信状態情報を受信することを含み、
そのうち、前記受信状態情報は、前記ユーザ装置がマルチメディアブロードキャスト及びマルチキャストサービスを受信していることを示す情報を含み、又は、前記ユーザ装置がマルチメディアブロードキャスト及びマルチキャストサービスの受信を終了していることを示す情報を含む。
【０００７】
本発明の実施例の他の側面によれば、情報取得方法が提供され、前記方法は、
ユーザ装置がセル間に切り替えられる時に、前記ユーザ装置のソース基地局が、ターゲット基地局に、前記ユーザ装置のマルチメディアブロードキャスト及びマルチキャストサービスの受信状態情報を報告することを含み、
そのうち、前記受信状態情報は、前記ユーザ装置がマルチメディアブロードキャスト及びマルチキャストサービスを受信していることを示す情報を含み、又は、前記ユーザ装置がマルチメディアブロードキャスト及びマルチキャストサービスの受信を終了していることを示す情報を含む。
【０００８】
本発明の実施例の一側面によれば、ターゲット基地局が提供され、前記ターゲット基地局は、
ユーザ装置がセル間に切り替えられる時に、ソース基地局により報告された前記ユーザ装置のマルチメディアブロードキャスト及びマルチキャストサービスの受信状態情報を受信するための第一情報取得ユニットを含み、
そのうち、前記受信状態情報は、前記ユーザ装置がマルチメディアブロードキャスト及びマルチキャストサービスを受信していることを示す情報を含み、又は、前記ユーザ装置がマルチメディアブロードキャスト及びマルチキャストサービスの受信を終了していることを示す情報を含む。
【０００９】
本発明の実施例の他の側面によれば、ソース基地局が提供され、前記ソース基地局は、
ユーザ装置がセル間に切り替えられる時に、ターゲット基地局に、前記ユーザ装置のマルチメディアブロードキャスト及びマルチキャストサービスの受信状態情報を報告するための情報送信ユニットを含み、
そのうち、前記受信状態情報は、前記ユーザ装置がマルチメディアブロードキャスト及びマルチキャストサービスを受信していることを示す情報を含み、又は、前記ユーザ装置がマルチメディアブロードキャスト及びマルチキャストサービスの受信を終了していることを示す情報を含む。
【００１０】
本発明の実施例の他の側面によれば、コンピュータ可読プログラムが提供され、そのうち、ターゲット基地局において前記プログラムを実行する時に、前記プログラムは、コンピュータに、前記ターゲット基地局において上述の情報取得方法を実行させる。
【００１１】
本発明の実施例の他の側面によれば、コンピュータ可読プログラムを記憶している記憶媒体が提供され、そのうち、前記コンピュータ可読プログラムは、コンピュータに、ターゲット基地局において上述の情報取得方法を実行させる。
【００１２】
本発明の実施例の他の側面によれば、コンピュータ可読プログラムが提供され、そのうち、ソース基地局において前記プログラムを実行する時に、前記プログラムは、コンピュータに、前記ソース基地局において上述の情報取得方法を実行させる。
【００１３】
本発明の実施例の他の側面よれば、コンピュータ可読プログラムを記憶している記憶媒体が提供され、そのうち、前記コンピュータ可読プログラムは、コンピュータに、ソース基地局において上述の情報取得方法を実行させる。
【００１４】
本発明の実施例の有益な効果は、ユーザ装置がセル間に切り替えられる時に、該ユーザ装置のソース基地局が、ターゲット基地局に、該ユーザ装置のMBMSの受信状態情報を通知し、これにより、該ユーザ装置のMBMSの連続性を保証することができることにある。
【００１５】
後述の説明及び図面を参照することにより、本発明の特定の実施形態が詳細に開示され、本発明の原理を採用し得る方式が明示されるが、理解すべきは、本発明の実施形態は、範囲上で、それらによって限定されることがない。添付の特許請求の範囲の精神（思想）及び技術的範囲内において、本発明の実施形態は、あらゆる変形、変更及び代替によるものをも含む。
【００１６】
一種の実施形態について説明した及び/又は示した特徴は、同じ又は類似する形で一つ又は複数の他の実施形態に用い、他の実施形態中の特徴と組み合わせ、又は、他の実施形態中の特徴を置換することができる。
【００１７】
また、強調すべきは、“包括（有する）/含む”というような語は、本文に用いる時に、特徴、部品全体、ステップ又は組み立て部品の存在を指すが、一つ又は複数の他の特徴、部品全体、ステップ又は組み立て部品の存在又は付加を排除しないことである。
【図面の簡単な説明】
【００１８】
図面を参照することに基づく次の詳細な説明から、本発明の実施例の上述及び他の目的、特徴、利点がより明確になる。
【図１】本発明の実施例1による情報取得方法のフローチャートである。
【図２】本発明の実施例2による情報取得方法のフローチャートである。
【図３】本発明の実施例2においてソース基地局が受信状態情報を取得する方法のフローチャートである。
【図４】本発明の実施例2においてソース基地局が受信状態情報を取得する方法のフローチャートである。
【図５】本発明の実施例3によるターゲット基地局の構成図である。
【図６】本発明の実施例4によるソース基地局の構成図である。
【図７】図6における第二情報取得ユニットの構成図である。
【図８】図6における第二情報取得ユニットの構成図である。
【図９】本発明のソース基地局とターゲット基地局との間におけるユーザ装置のMBMSの受信状態情報のやり取りを示す図である。
【発明を実施するための形態】
【００１９】
以下、図面を参照しながら、本発明の各種の実施形態について説明する。これらの実施形態は、例示的なものだけであり、本発明を限定するものではない。当業者が本発明の原理及び実施形態を容易に理解することができるために、本発明の実施形態は、LTE/LTE-AシステムのMBMSを例として説明を行うが、理解すべきは、本発明は、上述のシステムに限定されず、MBMSの受信状態情報を報告することに関する他のシステムにも適用できることである。
【実施例１】
【００２０】
図1は、本発明の実施例1による情報取得方法のフローチャートである。図1に示すように、該方法は、
ステップ101であって、ユーザ装置UEがセル間に切り替えられる時に、ターゲット基地局（Target  eNB）が、ソース基地局（Source  eNB）により報告された該ユーザ装置のマルチメディアブロードキャスト及びマルチキャストサービス（MBMS）の受信状態情報を受信する、ステップ101を含み、
そのうち、該受信状態情報は、該ユーザ装置がMBMSを受信していることを示す情報を含み、又は、該ユーザ装置がMBMSの受信を終了していることを示す情報を含む。
【００２１】
このように、該ターゲット基地局は、ソース基地局により報告された情報により、該ユーザ装置のMBMSの受信状態を取得し、これにより、該ユーザ装置のMBMSの連続性を保証することができる。
【００２２】
本実施例では、該ソース基地局は、UE  MBMS受信状態報告（UE-MBMS  Reception  Report）メッセージを採用して、該ターゲット基地局に、該受信状態情報を報告してもよいが、上述のメッセージに限られず、他の任意の一種のメッセージを採用して上述の受信状態情報を報告してもよい。例えば、受信がしている（受信中）ことを示すUE-MBMS  Reception  Report（MBMS  on）メッセージにより、該受信状態情報を報告してもよく、又は、受信が終了していることを示すUE-MBMS  Reception  Report（MBMS  off）メッセージにより、該受信状態情報を報告してもよい。
【００２３】
本実施例では、ソース基地局はターゲット基地局に、該ユーザ装置がMBMSを受信していること、又は、MBMSの受信を終了していることを示す情報を報告する時に、さらに、MBMSのサービス情報を報告してもよく、該サービス情報は、次の情報、即ち、マルチキャストブロードキャストシングル周波数ネットワーク（MBSFN）の領域ID（識別子）、マルチメディアブロードキャスト及びマルチキャストサービス（MBMS）ID、マルチメディアブロードキャスト及びマルチキャストサービス（MBMS）のセッションID、一時移動グループID（TMGI：Temporary  Mobile  Group  Identity）、及び、MBMSを搬送（Carry）するキャリア周波数のうちの一つ又は複数を含んでもよい。
【００２４】
本実施例では、図1に示すように、オプションで、該方法は、さらに、ステップ102であって、該ターゲット基地局が該ソース基地局に、受信確認メッセージを返すステップ102を含み、そのうち、本実施例では、該ターゲット基地局は、UE  MBMS受信状態確認（UE-MBMS  Reception  Confirm）メッセージにより、ソース基地局に、確認メッセージを返してもよいが、上述のメッセージに限られず、他の任意の一種のメッセージにより、確認メッセージを返してもよい。
【００２５】
上述の実施例から分かるように、ユーザ装置がセル間に切り替えられる時に、該ユーザ装置のソース基地局がターゲット基地局に、該ユーザ装置のMBMSの受信状態情報を通知し、これにより、該ユーザ装置のMBMSの連続性を保証することができる。また、MBSFNの領域ID、MBMS  ID、MBMSのセッションID、TMGI、及びMBMSを搬送するためのキャリア周波数などの情報を通知してもよい。
【００２６】
本実施例では、該ターゲット基地局は、該ソース基地局により報告された受信状態情報を受信した後、該ターゲット基地局は、該ユーザ装置UEに、該マルチメディアブロードキャスト及びマルチキャストサービスを提供することができる時に、該方法は、さらに、該ターゲット基地局は、該ユーザ装置が受信するマルチメディアブロードキャスト及びマルチキャストサービスに関するサービス情報を更新することを含み、即ち、該サービス情報は、MBSFNの領域ID、MBMS  ID、MBMSのセッションID、TMGI、及びMBMSを搬送するためのキャリア周波数を含んでもよい。
【００２７】
本実施例では、該ターゲット基地局は該ユーザ装置に、該マルチメディアブロードキャスト及びマルチキャストサービスを提供することができない時に、該方法は、さらに、該ターゲット基地局は、ブロードキャスト又はユニキャストの方式で、該ユーザ装置に、該マルチメディアブロードキャスト及びマルチキャストサービス（MBMS）を提供することを含む。以下、例を挙げて説明する。
【００２８】
第一種：ターゲットセルは、MBSFNの領域に属する予備セル（reserved  cell）である時に、該ターゲット基地局は、ブロードキャスト又はユニキャストの方式で、該マルチメディアブロードキャスト及びマルチキャストサービスを提供する。
【００２９】
第二種：ターゲットセルは、該マルチメディアブロードキャスト及びマルチキャストサービスを提供するMBSFNの領域に属しない時に、該ターゲットセルは、該マルチメディアブロードキャスト及びマルチキャストサービスを提供するMBSFNの領域に加入し、且つ、該ターゲット基地局は、ブロードキャスト方式で、該マルチメディアブロードキャスト及びマルチキャストサービスを提供する。
【００３０】
第三種：ターゲットセルは、該マルチメディアブロードキャスト及びマルチキャストサービスを提供するMBSFNの領域に属しない時に、該ターゲット基地局は、MBMSのプロバイダーとの間にリンクを生成し、シングルキャスト（即ち、ユニキャストである。以下、同様である。）の方式で、該ユーザ装置に、該マルチメディアブロードキャスト及びマルチキャストサービスを提供することができる。
【００３１】
第四種：ターゲットセルは、該マルチメディアブロードキャスト及びマルチキャストサービスを提供するための十分なリソースを有しない時に、該ターゲット基地局は、MBMSのプロバイダーとの間にリンクを生成し、シングルキャストの方式で、該ユーザ装置に、該マルチメディアブロードキャスト及びマルチキャストサービスを提供することができる。
【００３２】
上述の実施例から分かるように、ユーザ装置がセル間に切り替えられる時に、該ユーザ装置のソース基地局はターゲット基地局に、該ユーザ装置のMBMSの受信状態情報を通知し、且つ、該ターゲット基地局は該受信状態情報を受信した後に、ブロードキャスト又はシングルキャストの方式で、該ユーザ装置に、対応するMBMSを提供し、これにより、該ユーザ装置のMBMSの連続性を保証することができる。
【実施例２】
【００３３】
図2は、本発明の実施例2による情報取得方法のフローチャートである。図2に示すように、該方法は、
ユーザ装置がセル間に切り替えられる時に、該ユーザ装置のソース基地局は、ターゲット基地局に、該ユーザ装置のマルチメディアブロードキャスト及びマルチキャストサービスの受信状態情報を報告することを含み、
そのうち、該受信状態情報は、該ユーザ装置がマルチメディアブロードキャスト及びマルチキャストサービスを受信していることを示す情報（MBMS  On）を含み、又は、該ユーザ装置がマルチメディアブロードキャスト及びマルチキャストサービスの受信を終了していることを示す情報（MBMS  Off）を含む。
【００３４】
本実施例では、該ソース基地局はターゲット基地局に、該ユーザ装置がMBMSを受信していること、又は、MBMSの受信を終了していることを示す情報を報告する以外に、さらに、MBMSのサービス情報を報告してもよく、該サービス情報は、実施例1に記載のようであるので、ここでは、詳しい説明を省略する。
【００３５】
本実施例では、オプションで、さらに、該ソース基地局は、該ターゲット基地局から返された受信確認メッセージを受信することを含む。
【００３６】
そのうち、本実施例では、該ソース基地局は、UE  MBMS受信状態報告（UE-MBMS  Reception  Report）メッセージを採用して該ターゲット基地局に該受信状態情報を報告してもよいが、上述のメッセージに限られず、他の任意の一種のメッセージを採用して上述の受信状態情報を報告してもよい。
【００３７】
本実施例では、該方法は、さらに、該ソース基地局は該受信状態情報を取得することを含む。以下、図3及び4を参照して、該ソース基地局が該受信状態情報を取得する方法について詳細に説明する。
【００３８】
図3は、実施例2中のソース基地局が受信状態情報を取得する方法のフローチャートである。図3に示すように、次のステップを含む。
【００３９】
ステップ301：ユーザ装置が該ソース基地局に受信状態情報を報告し、これにより、該ソース基地局が該受信状態情報を取得する。
【００４０】
そのうち、ユーザ装置UEは、一つに新しいMBMSを受信しており、且つ、該ユーザ装置UEは、その前に、任意の基地局又は該ソース基地局に、該MBMSに関する任意の受信状態情報をフードバックしたことがない時に、該ユーザ装置UEは、MBMSの受信状態報告（受信している）（MBMS  Reception  Status  Report  (MBMS  on)）メッセージにより、基地局に、該受信状態情報を送信してもよいが、このメッセージに限定されず、任意の他の一種のメッセージを採用してもよい。そのうち、該ユーザ装置は、任意の基地局にMBMSの受信状態を報告したことがない時のみに、該ソース基地局に上述の情報を報告し、これにより、ユーザ装置UEが毎回、一つの新しい基地局に切り替えられる時に該受信状態情報を報告することを避けることができる。
【００４１】
ユーザ装置UEは、対応するMBMSの受信が完了した時に、該ユーザ装置UEは、該ソース基地局に、MBMSの受信状態報告（受信終了）（MBMS  Reception  Status  Report(MBMS  off)）メッセージを送信してもよいが、このメッセージに限られず、任意の他の一種のメッセージを採用してもよい。
【００４２】
また、上述のメッセージには、さらに、対応するMBMSのサービス情報、例えば、MBSFNの領域ID、MBMSのサービスID、MBMSのセッションID、TMGI、及びMBMSを搬送するためのキャリア周波数などの情報を含んでもよい。
【００４３】
ステップ302：該ソース基地局が、該ユーザ装置により報告された受信状態情報を受信した後に、該ユーザ装置UEに、確認メッセージを送信することができる。
【００４４】
そのうち、ステップ302は、オプションのステップであってもよく、該確認メッセージは、MBMS受信状態確認(MBMS  Reception  Status  Confirm)メッセージを採用してもよいが、このメッセージに限られず、任意の他の一種のメッセージを採用してもよい。
【００４５】
上述から分かるように、ユーザ装置UEが発起する報告プロセスにより、該ソース基地局は、該ユーザ装置のMBMSの受信状態情報を受信することができる。
【００４６】
図4は、実施例2中のソース基地局が受信状態情報を取得する方法のフローチャートである。図4に示すように、次のステップを含む。
【００４７】
ステップ401：ソース基地局がユーザ装置UEに、該ユーザ装置UEがMBMSの受信状態情報を報告することを指示するためのリクエストメッセージを送信する。
【００４８】
そのうち、基地局は、MBMS受信状態リクエスト（MBMS  Reception  Status  Request）メッセージをブロードキャストし、これにより、そのサービス領域内のユーザ装置UEに、該ソース基地局にMBMSの受信状態情報を報告することを指示する。
【００４９】
ステップ402：該ユーザ装置は、該ソース基地局がブロードキャストしたリクエストメッセージを受信した後に、該ユーザ装置UEは、該リクエストメッセージに基づいて、受信状態情報を報告し、これにより、該ソース基地局は、該受信状態情報を取得することができる。
【００５０】
そのうち、該ユーザ装置UEは、レスポンスメッセージにより、受信状態情報を報告することができる。
【００５１】
該ユーザ装置UEは、対応するMBMSを受信しており、且つ、この前に、任意の他の基地局又は該ソース基地局に、該MBMSに関するレスポンスメッセージを報告したことがなければ、該ユーザ装置UEは、MBMS受信状態レスポンス（受信している）（MBMS  Reception  Status  Response(MBMS  on)）メッセージにより、該ソース基地局に、現在の受信状態を示すことができる。そのうち、該レスポンスメッセージの送信時間は、このブロードキャストサービスを受信し始めた時、又は、切り替えを準備する時であってもよい。
【００５２】
また、該ユーザ装置UEは、対応するMBMSの受信が完了したときに、該ユーザ装置は、MBMS受信状態レスポンス（受信終了）（MBMS  Reception  Status  Response(MBMS  off)）メッセージを送信することにより、該ソース基地局に、その対応するMBMSの受信が終了していることを通知することができ、該レスポンスメッセージは、サービスの受信が終了した時点に送信されてもよい。
【００５３】
上述の2つのメッセージには、さらに、対応するMBMSのサービス情報、例えば、MBSFNの領域ID、MBMSのサービスID、MBMSのセッションID、TMGI、及びMBMSを搬送するためのキャリア周波数などの情報を含んでもよい。
【００５４】
上述から分かるように、ネットワーク側の基地局が発起する報告プロセスにより、該ソース基地局は、該ユーザ装置のMBMSの受信状態情報を取得することができる。
【００５５】
上述の実施例から分かるように、ユーザ装置がセル間に切り替えられる時に、該ユーザ装置のソース基地局はターゲット基地局に該ユーザ装置のMBMSの受信状態情報を通知し、且つ、該ターゲット基地局は、該受信状態情報を受信した後に、ブロードキャスト又はシングルキャストの方式で、該ユーザ装置に、対応するMBMSを提供し、これにより、該ユーザ装置のMBMSの連続性を保証することができる。そのうち、該ソース基地局は、ネットワーク側が発起する報告プロセスにより、又は、ユーザ装置が発起する報告プロセスにより、該ユーザ装置の受信状態情報を取得することができる。
【００５６】
本発明の実施例は、さらに、以下の実施例3及び実施例4に記載のように、ソース基地局及びターゲット基地局をも提供する。該ターゲット基地局及びソース基地局が問題を解決する原理は、上述のターゲット基地局及びソース基地局による情報取得方法と類似し、該ターゲット基地局及びソース基地局の実施は、上述の方法の実施を参照することができるので、ここでは、重複記載を省略する。
【実施例３】
【００５７】
図5は、本発明の実施例3によるターゲット基地局の機能構成図である。図5に示すように、該ターゲット基地局は、第一情報取得ユニット501を含み、そのうち、第一情報取得ユニット501は、ユーザ装置がセル間に切り替えられる時に、ソース基地局により報告されたユーザ装置のマルチメディアブロードキャスト及びマルチキャストサービスの受信状態情報を受信するために用いられる。
【００５８】
そのうち、受信状態情報は、ユーザ装置がマルチメディアブロードキャスト及びマルチキャストサービスを受信していることを示す情報（MBMS  on）を含み、又は、ユーザ装置がマルチメディアブロードキャスト及びマルチキャストサービスの受信を修了していることを示す情報(MBMS  off)を含む。
【００５９】
上述の実施例から分かるように、ユーザ装置がセル間に切り替えられる時に、該ユーザ装置のソース基地局は、ターゲット基地局に、該ユーザ装置のMBMSの受信状態情報を通知し、これにより、該ユーザ装置のMBMSの連続性を保証することができる。
【００６０】
本実施例では、ソース基地局は、さらに、サービス情報を該ターゲット基地局に報告することができ、このように、第一情報取得ユニット501は、さらに、該サービス情報を取得することができ、そのうち、サービス情報の内容は、実施例1に記載のようであるので、ここでは、詳しい説明を省略する。
【００６１】
図5に示すように、該ターゲット基地局は、さらに、第一送信ユニット502を含んでもよく、第一送信ユニット502は、受信状態情報を受信した後に、ソース基地局に受信確認メッセージを返すために用いられる。
【００６２】
上述の実施例では、該ソース基地局が受信状態情報を送信する時に採用するメッセージ、及び、該受信確認メッセージが採用するメッセージは、実施例1及び2に記載のようであるので、ここでは、詳しい説明を省略する。
【００６３】
本実施例では、図5に示すように、該ターゲット基地局は、さらに、情報更新ユニット503を含んでもよく、情報更新ユニット503は、該ターゲット基地局が該ユーザ装置の受信状態情報を取得した後に、該ターゲット基地局がユーザ装置にマルチメディアブロードキャスト及びマルチキャストサービスを提供することができる時に、該ユーザ装置が受信するマルチメディアブロードキャスト及びマルチキャストサービスのサービス情報を更新するために用いられる。そのうち、サービス情報は、実施例1に記載のようであるので、ここでは、詳しい説明を省略する。
【００６４】
図5に示すように、該ターゲット基地局は、さらに、サービス提供ユニット504を含み、サービス提供ユニット504は、該ターゲット基地局が該ユーザ装置の受信状態情報を取得した後に、該ターゲット基地局がユーザ装置にマルチメディアブロードキャスト及びマルチキャストサービスを提供することができない時に、ブロードキャスト又はシングルキャストの方式で、ユーザ装置に、マルチメディアブロードキャスト及びマルチキャストサービスを提供するために用いられる。そのうち、サービス提供ユニット504がブロードキャスト又はシングルキャストの方式で、MBMSを提供することは、実施例1に記載のようであるので、ここでは、詳しい説明を省略する。
【００６５】
上述の実施例から分かるように、ユーザ装置がセル間に切り替えられる時に、該ユーザ装置のソース基地局は、ターゲット基地局に、該ユーザ装置のMBMSの受信状態情報を通知し、これにより、該ユーザ装置のMBMSの連続性を保証することができ、また、該ターゲット基地局は、該ユーザ装置のMBMSの受信状態情報を受信した後に、さらに、該MBMSを提供することができるかどうかの状況に基づいて、対応する操作を行い、該ユーザ装置に、対応するMBMSを提供することもできる。
【実施例４】
【００６６】
図6は、本発明の実施例4によるソース基地局の構成図である。図6に示すように、該ソース基地局は、情報送信ユニット601を含み、情報送信ユニット601は、ユーザ装置がセル間に切り替えられる時に、ターゲット基地局に、ユーザ装置のマルチメディアブロードキャスト及びマルチキャストサービスの受信状態情報を報告するために用いられる。
【００６７】
そのうち、受信状態情報は、ユーザ装置がマルチメディアブロードキャスト及びマルチキャストサービスを受信していることを示すための情報を含み、又は、ユーザ装置がマルチメディアブロードキャスト及びマルチキャストサービスの受信を終了していることを示すための情報を含む。
【００６８】
上述の実施例から分かるように、ユーザ装置がセル間に切り替えられる時に、該ユーザ装置のソース基地局はターゲット基地局に、該ユーザ装置のMBMSの受信状態情報を通知し、これにより、該ユーザ装置のMBMSの連続性を保証することができる。
【００６９】
本実施例では、ソース基地局はターゲット基地局に、該ユーザ装置がMBMSを受信していること、又は、MBMSの受信を終了していることを示す情報を報告する時に、MBMSのサービス情報を報告することもでき、該サービス情報は、実施例1に記載のようであるので、ここでは、詳しい説明を省略する。
【００７０】
ソース基地局はターゲット基地局に、該受信状態情報を報告する前に、該ソース基地局は、ネットワーク側が発起する報告プロセスにより、又は、ユーザ装置が発起する報告プロセスにより、該受信状態情報を取得することができる。このように、図6に示すように、ソース基地局は、さらに、第二情報取得ユニット602を含んでもよく、第二情報取得ユニット602は、受信状態情報を取得するために用いられる。
【００７１】
ユーザ装置が発起する報告プロセスにより、該受信状態情報を取得する時に、図7に示すように、第二情報取得ユニット602は、第一情報受信ユニット701を含んでもよく、そのうち、第一情報受信ユニット701は、ユーザ装置により報告された受信状態情報を受信し、受信状態情報を取得するために用いられる。
【００７２】
このような場合、該ソース基地局は、さらに、確認メッセージ送信ユニット702を含んでもよく、確認メッセージ送信ユニット702は、該ユーザ装置が送信した受信状態情報を受信した後に、該ユーザ装置に、受信確認メッセージを返すために用いられる。その具体的なプロセスは、実施例2に記載のようであるので、ここでは、詳しい説明を省略する。そのうち、確認メッセージ送信ユニット702は、オプションである。
【００７３】
ネットワーク側が発起する報告プロセスにより、該受信状態情報を取得する時に、図8に示すように、第二情報取得ユニット602は、リクエストメッセージ送信ユニット801及び第二情報受信ユニット802を含む。
【００７４】
そのうち、リクエストメッセージ送信ユニット801は、ユーザ装置に、ユーザ装置が受信状態情報を報告することを指示するためのリクエストメッセージを送信するために用いられ、第二情報受信ユニット802は、ユーザ装置がリクエストメッセージ送信ユニット801の送信したリクエストメッセージに基づいて報告した受信状態情報を受信し、受信状態情報を取得するために用いられる。
【００７５】
上述の実施例から分かるように、ユーザ装置がセル間に切り替えられる時に、該ユーザ装置のソース基地局はターゲット基地局に、該ユーザ装置のMBMSの受信状態情報を通知し、これにより、該ユーザ装置のMBMSの連続性を保証することができ、そのうち、該ソース基地局は、ネットワーク側が発起する報告プロセスにより、又は、ユーザ装置が発起する報告プロセスにより、該ユーザ装置の受信状態情報を取得することができる。
【００７６】
以下、図9を参照しながら、ソース基地局とターゲット基地局との間におけるユーザ装置のMBMS受信状態情報のやり取りのプロセスについて説明する。
【００７７】
図9は、本発明のソース基地局とターゲット基地局との間におけるユーザ装置のMBMS受信状態情報のやり取りを示す図である。図9に示すように、次のステップを採用する。
【００７８】
ステップ901：ソース基地局が、ユーザ装置のMBMSの受信状態情報を取得する、
そのうち、実施例2中の図3及び図4に記載の方法により取得を行うことができるので、ここでは、詳しい説明を省略する。
【００７９】
ステップ902：該ユーザ装置がセル間に切り替えられる時に、該ソース基地局はターゲット基地局に、移動中のユーザ装置UEの受信状態情報を送信する。
【００８０】
そのうち、UE-MBMS  Reception  Reportメッセージにより、上述の受信状態情報を搬送してもよく、該受信状態情報は、該ユーザ装置がMBMSを受信していること、又は、MBMSの受信を終了していることを示す情報を含む以外に、さらに、MBMSのサービス情報を含んでもよく、これは、上述の実施例と同様であるので、ここでは、詳しい説明を省略する。
【００８１】
ステップ903：該ターゲット基地局は、該受信状態情報を受信した後に、該ソース基地局に確認メッセージを返す。
【００８２】
そのうち、UE-MBMS  Reception  Confirmメッセージにより、該ソース基地局に該確認情報を返してもよく、且つ、該ステップは、オプションである。
【００８３】
ステップ904：該ターゲット基地局は、該報告を受信した後に、ターゲット基地局は、移動中の該ユーザ装置UEに、対応するMBMSを提供することができる時に、該ターゲット基地局は、該ユーザ装置が受信するMBMSのサービス情報を更新する。
【００８４】
ステップ905：該ターゲット基地局は、該報告を受信した後に、ターゲット基地局は、移動中の該ユーザ装置UEに、対応するMBMSを提供することができない時に、該ターゲット基地局は、シングルキャスト又はブロードキャストの方式で、該MBMSを提供する。
【００８５】
本発明の実施例は、さらに、コンピュータ可読プログラムを提供し、そのうち、ターゲット基地局において前記プログラムを実行する時に、前記プログラムは、コンピュータに、前記ターゲット基地局において実施例1に記載のような情報取得方法を実行させる。
【００８６】
本発明の実施例は、さらに、コンピュータ可読プログラムを記憶している記憶媒体を提供し、そのうち、前記コンピュータ可読プログラムは、コンピュータに、ターゲット基地局において実施例1に記載のような情報取得方法を実行させる。
【００８７】
本発明の実施例は、さらに、コンピュータ可読プログラムを提供し、そのうち、ソース基地局において前記プログラムを実行する時に、前記プログラムは、コンピュータに、ソース基地局において実施例2に記載のような情報取得方法を実行させる。
【００８８】
本発明の実施例は、さらに、コンピュータ可読プログラムを記憶している記憶媒体を提供し、そのうち、前記コンピュータ可読プログラムは、コンピュータに、ソース基地局において実施例2に記載のような情報取得方法を実行させる。
【００８９】
本発明の以上の装置及び方法は、ハードウェアにより実現されてもよく、ハードウェアとソフトウェアとの組み合わせにより実現されてもよい。本発明は、このようなコンピュータ読み取り可能なプログラムにも関し、当該プログラムは、ロジック部品により実行される時に、ロジック部品に、上述の装置又は構成部品を実行させることができ、又は、該ロジック部品に、上述の各種の方法又はステップを実行させることができる。本発明は、更に、上述のプログラムを記録した記録媒体、例えば、ハードディスク、磁気ディスク、光ディスク、DVD、flashメモリなどにも関する。
【００９０】
以上、具体的な実施形態を基に、本発明について説明したが、当業者が理解すべきは、これらの説明は、例示的なものだけであり、本発明の保護範囲を制限するものではない。当業者は、本発明の思想及び原理に基づいて、本発明に対してあらゆる変形及び変更をしてもよく、これらの変形及び変更も、本発明の技術的範囲に属する。
【図１】
0005804187.tif 000002
【図２】
0005804187.tif 000003
【図３】
0005804187.tif 000004
【図４】
0005804187.tif 000005
【図５】
0005804187.tif 000006
【図６】
0005804187.tif 000007
【図７】
0005804187.tif 000008
【図８】
0005804187.tif 000009
【図９】
0005804187.tif 000010